(57)【要約】【課題】待ち受け画像の視認性を損なうことなく待ち受け画像を作成すること。【解決手段】前景画像生成部１０９は、前景情報記憶部１１１から待ち受け時前景情報を読み出して前景画像情報を生成し、画像合成部１０３は、前景情報記憶部１１１に記憶された待ち受け時前景情報に対応する待ち受け時前景表示位置に従い、画像情報生成部１０１にて生成された撮像画像情報と、前景画像生成部１０９にて生成された前景画像情報とを合成し、表示部１０５は画像合成部１０３によって合成された合成画像を表示する。【選択図】図１
2010204939.tif 000002
【特許請求の範囲】
【請求項１】
画像を生成する画像生成手段と、
待ち受け時前景表示位置を記憶する前景情報記憶手段と、
待ち受け時前景画像を生成する前景画像生成手段と、
前記画像生成手段で生成された画像の前記待ち受け時前景表示位置に前記待ち受け時前景画像を合成して合成画像を生成する画像合成手段と、
前記合成画像を表示する表示手段と、
を備える待ち受け画像作成装置。
【請求項２】
前記画像生成手段は、撮像によって前記画像を生成する、
請求項１に記載の待ち受け画像作成装置。
【請求項３】
圧縮画像を記憶する圧縮画像記憶手段と、
前記圧縮画像記憶手段から読み出した前記圧縮画像を伸張して伸張画像を生成する圧縮画像伸張手段と、
前記伸張画像の画像サイズを加工する伸張画像加工手段と、
待ち受け時前景表示位置を記憶する前景情報記憶手段と、
待ち受け時前景画像を生成する前景画像生成手段と、
画像サイズ加工後の伸張画像の前記待ち受け時前景表示位置に前記待ち受け時前景画像を合成して合成画像を生成する画像合成手段と、
前記合成画像を表示する表示手段と、
を備える待ち受け画像作成装置。
【請求項４】
前記伸張画像加工手段は、前記伸張画像の画像サイズを待ち受け画像サイズに縮小する、
請求項３に記載の待ち受け画像作成装置。
【請求項５】
前記伸張画像加工手段は、前記伸張画像の画像サイズを待ち受け画像サイズに拡大する、
請求項３に記載の待ち受け画像作成装置。
【請求項６】
前記伸張画像加工手段は、前記伸張画像の一部分を待ち受け画像サイズに切り出す、
請求項３に記載の待ち受け画像作成装置。
【請求項７】
前記前景情報記憶手段は、複数の待ち受け時前景情報および複数の待ち受け時前景表示位置を記憶し、
前記前景情報記憶手段からいずれか１組の待ち受け時前景情報および待ち受け時前景表示位置を選択する前景情報選択手段、を具備し、
前記前景画像生成手段は、前記前景情報選択手段で選択された待ち受け時前景情報から前記待ち受け時前景画像を生成し、
前記画像合成手段は、前記前景情報選択手段で選択された待ち受け時前景表示位置に前記待ち受け時前景画像を合成する、
請求項１または請求項３に記載の待ち受け画像作成装置。
【請求項８】
前記前景情報記憶手段は、縦表示用および横表示用の、待ち受け時前景情報および待ち受け時前景表示位置を記憶する、
請求項７に記載の待ち受け画像作成装置。
【発明の詳細な説明】
【技術分野】
【０００１】
本発明は、待ち受け画像作成装置に関する。
【背景技術】
【０００２】
携帯電話機などの携帯情報端末の表示能力向上と、携帯情報端末へのデジタルカメラ機能の搭載が一般化したことで、携帯情報端末によって子供、ペットまたは風景などを撮影して携帯情報端末の待ち受け画像にする技術が広く知られるようになっている（例えば、特許文献１参照）。また、携帯情報端末のさらなる高度化により、待ち受け画像の前景に時計表示のみならず、カレンダーやニュース情報などが表示されるようになっている。
【特許文献１】特開２０００−３０８０３２号公報
【発明の開示】
【発明が解決しようとする課題】
【０００３】
しかしながら、従来は、時計表示などの前景情報が待ち受け画像の視認性を損なうことが待ち受け画像設定後にしか分からないため、待ち受け画像を撮影し直したり、撮影した画像を待ち受け画像にすることを諦めてしまうなどの負担を使用者に強いることになっていた。
【０００４】
本発明は、かかる点に鑑みてなされたものであって、待ち受け画像の視認性を損なうことなく待ち受け画像を作成することができる待ち受け画像作成装置を提供することを目的とする。
【課題を解決するための手段】
【０００５】
本発明の待ち受け画像作成装置は、画像を生成する画像生成手段と、待ち受け時前景表示位置を記憶する前景情報記憶手段と、待ち受け時前景画像を生成する前景画像生成手段と、前記画像生成手段で生成された画像の前記待ち受け時前景表示位置に前記待ち受け時前景画像を合成して合成画像を生成する画像合成手段と、前記合成画像を表示する表示手段と、を備える構成を採る。
【発明の効果】
【０００６】
本発明によれば、待ち受け画像の視認性を損なうことなく待ち受け画像を作成することができる。
【発明を実施するための最良の形態】
【０００７】
（実施の形態１）
図１は、本発明の実施の形態１に係る待ち受け画像作成装置の構成を示すブロック図である。
【０００８】
図１に示すように、本実施の形態に係る待ち受け画像作成装置１００は、画像情報生成部１０１と、画像合成部１０３と、表示部１０５と、制御部１０７と、前景画像生成部１０９と、前景情報記憶部１１１と、を備える。
【０００９】
なお、画像情報生成部１０１、画像合成部１０３、制御部１０７および前景画像生成部１０９は、プログラムを実行することによって動作するＣＰＵ等の演算処理装置によって実現されていても良い。
【００１０】
制御部１０７の指示により、画像情報生成部１０１が撮像によって撮像画像情報を生成する。生成された撮像画像情報は画像合成部１０３に出力される。
【００１１】
画像合成部１０３は、画像情報生成部１０１から出力される撮像画像情報と、前景画像生成部１０９から出力される前景画像情報とを合成する。
【００１２】
前景画像生成部１０９によって生成される前景画像情報が無い場合には、画像合成部１０３での合成処理は行われずに、画像情報生成部１０１で生成された撮像画像情報がそのまま表示部１０５に出力されて表示される。図２に、合成処理が行われない場合の表示状態を示す。
【００１３】
画像情報生成部１０１にて定期的に撮像が行われて撮像画像情報が生成され、表示部１０５にて連続的に撮像画像が表示されることで、撮影前のプレビュー表示が行われる。
【００１４】
このプレビュー表示により、使用者は撮像前に、撮像される画像を確認することができる。
【００１５】
次に、前景画像生成部１０９によって生成される前景画像情報が有る場合について説明する。
【００１６】
制御部１０７の指示により、前景画像生成部１０９は前景情報記憶部１１１から待ち受け時前景情報を読み出して前景画像情報を生成する。
【００１７】
画像合成部１０３は、画像情報生成部１０１にて生成された撮像画像情報と、前景画像生成部１０９にて生成された前景画像情報との合成処理を行う。
【００１８】
ここで前景画像情報は、前景情報記憶部１１１に記憶された待ち受け時前景情報に対応する待ち受け時前景表示位置に従い、撮像画像情報の前景に合成される。
【００１９】
待ち受け時前景表示位置は、制御部１０７によって前景情報記憶部１１１から読み出され、画像合成部１０３に指示される。
【００２０】
画像合成部１０３によって合成された合成画像情報は表示部１０５に出力され表示される。
【００２１】
図３に、合成処理の様子および合成画像の表示状態を示す。
【００２２】
このように、本実施の形態によれば、待ち受け画像撮影前のプレビュー表示に、撮像した画像に待ち受け時の前景画像が合成されて表示されるため、使用者は、撮影する画像に対して前景画像がどのように重複するかを確認することができる。よって、本実施の形態によれば、使用者は撮像対象の視認性を確認して視認性の良い待ち受け画像を作成することができる。
【００２３】
また、本実施の形態によれば、使用者が待ち受け画像を撮影する際に、現在設定されている待ち受け画像の前景が表示されるため、待ち受け画像の視認性を損なうことがない待ち受け画像を作成することができる。
【００２４】
（実施の形態２）
図４は、本発明の実施の形態２に係る待ち受け画像作成装置の構成を示すブロック図である。
【００２５】
図４に示すように、本実施の形態に係る待ち受け画像作成装置２００は、画像合成部１０３と、表示部１０５と、前景画像生成部１０９と、前景情報記憶部１１１と、圧縮画像記憶部２０１と、圧縮画像伸張部２０３と、伸張画像加工部２０５と、制御部２０７と、を備える。
【００２６】
図４において、図１と共通する構成要素には同じ参照符号を付して説明を省略する。
【００２７】
なお、圧縮画像伸張部２０３、伸張画像加工部２０５および制御部２０７は、プログラムを実行することによって動作するＣＰＵ等の演算処理装置によって実現されていても良い。
【００２８】
制御部２０７の指示により、圧縮画像伸張部２０３は圧縮画像記憶部２０１より圧縮画像データを読み出し、圧縮画像データを伸張する。
【００２９】
伸張画像情報の画像サイズが待ち受け画像サイズよりも大きい場合には、制御部２０７の指示により、伸張画像加工部２０５にて伸張画像情報の画像サイズが待ち受け画像サイズに縮小される。
【００３０】
制御部２０７の指示により、前景画像生成部１０９は前景情報記憶部１１１から待ち受け時前景情報を読み出して前景画像情報を生成する。
【００３１】
画像合成部１０３は、伸張画像加工部２０５にて待ち受け画像サイズに縮小された加工画像情報と、前景画像生成部１０９にて生成された前景画像情報との合成処理を行う。
【００３２】
ここで前景画像情報は、前景情報記憶部１１１に記憶された待ち受け時前景情報に対応する待ち受け時前景表示位置に従い、加工画像情報の前景に合成される。
【００３３】
待ち受け時前景表示位置は、制御部２０７によって前景情報記憶部１１１から読み出され、画像合成部１０３に指示される。
【００３４】
画像合成部１０３によって合成された合成画像情報は表示部１０５に出力され表示される。
【００３５】
図５に、縮小処理の様子、合成処理の様子および合成画像の表示状態を示す。
【００３６】
また、圧縮画像伸張部２０３で伸張された伸張画像情報の画像サイズが待ち受け画像サイズよりも小さい場合には、制御部２０７の指示により、伸張画像加工部２０５にて伸張画像情報の画像サイズが待ち受け画像サイズに拡大され、待ち受け画像サイズに拡大された加工画像情報と、前景画像生成部１０９にて生成された前景画像情報とが合成されて表示部１０５に表示される。
【００３７】
図６に、拡大処理の様子、合成処理の様子および合成画像の表示状態を示す。
【００３８】
また、圧縮画像伸張部２０３で伸張された伸張画像情報の一部分を待ち受け画像サイズに切り出す場合には、制御部２０７の指示により、伸張画像加工部２０５にて伸張画像情報の一部分が待ち受け画像サイズに切り出され、切り出された加工画像情報と、前景画像生成部１０９にて生成された前景画像情報とが合成されて表示部１０５に表示される。伸張画像加工部２０５にて伸張画像情報の一部分を待ち受け画像サイズに切り出す際には、制御部２０７の指示により切り出す場所が指定される。
【００３９】
図７に、切り出し処理の様子、合成処理の様子および合成画像の表示状態を示す。
【００４０】
このように、本実施の形態によれば、待ち受け画像サイズよりも大きい画像サイズの圧縮画像データを待ち受け画像として選択する際に、待ち受け画像を縮小した縮小画像と、現在設定されている待ち受け時の前景画像とを合成して表示するため、使用者は待ち受け画像の設定前に、待ち受け画像の視認性を確認することができる。
【００４１】
また、本実施の形態によれば、待ち受け画像サイズよりも小さい画像サイズの圧縮画像データを待ち受け画像として選択する際に、待ち受け画像を拡大した拡大画像と、現在設定されている待ち受け時の前景画像とを合成して表示するため、使用者は待ち受け画像の設定前に、待ち受け画像の視認性を確認することができる。
【００４２】
また、本実施の形態によれば、待ち受け画像サイズよりも大きい画像サイズの圧縮画像データを待ち受け画像サイズに切り出して待ち受け画像として選択する際に、切り出した画像と、現在設定されている待ち受け時の前景画像とを合成して表示するため、使用者は待ち受け画像の設定前に、待ち受け画像の視認性を確認することができる。
【００４３】
つまり、本実施の形態によれば、使用者は保存されている圧縮画像を待ち受け画像として設定する前に、圧縮画像に対して待ち受け時の前景情報がどのように重複するかを確認することができる。よって、本実施の形態によれば、待ち受け画像の視認性を損なうことなく待ち受け画像を作成することができる。
【００４４】
なお、本実施の形態では、圧縮画像伸張部２０３で伸張された画像情報の画像サイズが待ち受け画像サイズと異なる場合に、伸張画像加工部２０５にて画像サイズを待ち受け画像サイズに加工する場合について説明した。伸張された画像情報の画像サイズが待ち受け画像サイズと同じ場合には、伸張画像加工部２０５にて画像サイズを加工する必要は無い。よって、伸張された画像情報の画像サイズが待ち受け画像サイズと同じ場合でも、使用者は待ち受け画像の視認性を確認することができる。
【００４５】
（実施の形態３）
図８は、本発明の実施の形態３に係る待ち受け画像作成装置の構成を示すブロック図である。
【００４６】
図８に示すように、本実施の形態に係る待ち受け画像作成装置３００は、画像合成部１０３と、表示部１０５と、圧縮画像記憶部２０１と、圧縮画像伸張部２０３と、伸張画像加工部２０５と、前景情報選択部３０１と、制御部３０３と、前景画像生成部３０５と、前景情報記憶部３０７と、を備える。
【００４７】
図８において、図１および図４と共通する構成要素には同じ参照符号を付して説明を省略する。
【００４８】
なお、前景情報選択部３０１、制御部３０３および前景画像生成部３０５は、プログラムを実行することによって動作するＣＰＵ等の演算処理装置によって実現されていても良い。
【００４９】
前景情報選択部３０１は入力インタフェースを擁しており、使用者は前景情報選択部３０１を用いて、前景情報記憶部３０７に記憶された複数の待ち受け時前景情報および複数の待ち受け時前景表示位置の中から１組を選択できる。
【００５０】
制御部３０３は、使用者によって選択された待ち受け時前景情報を前景情報記憶部３０７から読み出して前景画像生成部３０５に出力する。
【００５１】
前記画像生成部３０５は、使用者によって選択された待ち受け時前景情報から前景画像を生成して画像合成部１０３に出力する。
【００５２】
画像合成部１０３は、伸張画像加工部２０５にて待ち受け画像サイズに加工された加工画像情報と、前景画像生成部３０５にて生成された前景画像情報との合成処理を行う。
【００５３】
ここで前景画像情報は、使用者によって選択された待ち受け時前景表示位置に従い、加工画像情報の前景に合成される。
【００５４】
待ち受け時前景表示位置は、制御部３０３によって前景情報記憶部３０７から読み出され、画像合成部１０３に指示される。
【００５５】
画像合成部１０３によって合成された合成画像情報は表示部１０５に出力され表示される。
【００５６】
また、伸張画像加工部２０５で加工された加工画像情報の画像サイズが待ち受け画像サイズ以外の場合には、制御部３０３の指示により、前景画像生成部３０５での前景画像情報の生成を行わないことも可能である。
【００５７】
このように、本実施の形態によれば、複数の待ち受け時前景画像が用意されており、その中から任意の待ち受け時前景画像を使用者が選択できる場合であっても、使用者は待ち受け画像の設定前に、任意の待ち受け時前景画像に対する待ち受け画像の視認性を確認することができる。つまり、本実施に形態によれば、使用者が複数の待ち受け時前景情報を所有している場合に、設定しようとする待ち受け画像に対してそれぞれの待ち受け時前景情報がどのように重複するかを確認することができる。
【００５８】
また、本実施の形態によれば、縦表示用の前景情報およびその表示位置と、横表示用の前景情報およびその表示位置とを前景情報記憶部３０７に記憶させておき、使用者に選択可能とさせることで、使用者が選択する待ち受け画像の縦横に応じた前景情報を選択させることが可能となり、使用者は選択した前景情報に応じた待ち受け画像の視認性を確認することができる。
【００５９】
また、本実施の形態によれば、伸張画像加工部２０５で加工された加工画像情報の画像サイズが待ち受け画像サイズ以外の場合には、不要な前景画像情報の生成を抑制することができる。
【００６０】
（実施の形態４）
図９は、本発明の実施の形態４に係る待ち受け画像作成装置の構成を示すブロック図である。
【００６１】
図９に示すように、本実施の形態に係る受け画像作成装置４００は、画像情報生成部１０１と、画像合成部１０３と、表示部１０５と、前景情報選択部４０１と、制御部４０３と、前景画像生成部４０５と、前景情報記憶部４０７と、を備える。
【００６２】
図９において、図１と共通する構成要素には同じ参照符号を付して説明を省略する。
【００６３】
なお、前景情報選択部４０１、制御部４０３および前景画像生成部４０５は、プログラムを実行することによって動作するＣＰＵ等の演算処理装置によって実現されていても良い。
【００６４】
前景情報選択部４０１は入力インタフェースを擁しており、使用者は前景情報選択部４０１を用いて、前景情報記憶部４０７に記憶された複数の待ち受け時前景情報および複数の待ち受け時前景表示位置の中から１組を選択できる。
【００６５】
制御部４０３は、使用者によって選択された待ち受け時前景情報を前景情報記憶部４０７から読み出して前景画像生成部４０５に出力する。
【００６６】
前記画像生成部４０５は、使用者によって選択された待ち受け時前景情報から前景画像を生成して画像合成部１０３に出力する。
【００６７】
画像合成部１０３は、画像情報生成部１０１にて生成された撮像画像情報と、前景画像生成部４０５にて生成された前景画像情報との合成処理を行う。
【００６８】
ここで前景画像情報は、使用者によって選択された待ち受け時前景表示位置に従い、撮像画像情報の前景に合成される。
【００６９】
待ち受け時前景表示位置は、制御部４０３によって前景情報記憶部４０７から読み出され、画像合成部１０３に指示される。
【００７０】
画像合成部１０３によって合成された合成画像情報は表示部１０５に出力され表示される。
【００７１】
また、画像情報生成部１０１で生成された撮像画像情報の画像サイズが待ち受け画像サイズ以外の場合には、制御部４０３の指示により、前景画像生成部４０５での前景画像情報の生成を行わないことも可能である。
【００７２】
このように、本実施の形態によれば、複数の待ち受け時前景画像が用意されており、その中から任意の待ち受け時前景画像を使用者が選択できる場合であっても、使用者は待ち受け画像の撮影前のプレビュー表示中に、任意の待ち受け時前景画像に対する待ち受け画像の視認性を確認することができる。つまり、本実施の形態によれば、使用者が複数の待ち受け時前景情報を所有している場合に、設定しようとする待ち受け画像に対してそれぞれの待ち受け時前景情報がどのように重複するかを確認することができる。
【００７３】
また、本実施の形態によれば、縦表示用の前景情報およびその表示位置と、横表示用の前景情報およびその表示位置を前景情報記憶部４０７に記憶させておき、使用者に選択可能とさせることで、使用者が撮影する待ち受け画像の縦横に応じた前景情報を選択させることが可能となり、使用者は選択した前景情報に応じた、撮影する待ち受け画像の視認性を確認することができる。
【００７４】
また、本実施の形態によれば、撮影画像サイズが待ち受け画像サイズ以外の場合には、不要な前景画像情報の生成を抑制することができる。
【００７５】
なお、上記各実施の形態においては静止画を一例に挙げて説明したが、動画に対しても本発明を上記同様にして実施することができる。
【産業上の利用可能性】
【００７６】
本発明は、時間表示などが待ち受け画像の前景に表示されることで待ち受け画像の視認性が損なわれる可能性がある携帯電話機などの携帯情報端末に有用である。
【図面の簡単な説明】
【００７７】
【図１】実施の形態１に係る待ち受け画像作成装置の構成を示すブロック図
【図２】実施の形態１に係る合成処理が行われない場合の表示状態を示す図
【図３】実施の形態１に係る合成処理の様子および合成画像の表示状態を示す図
【図４】実施の形態２に係る待ち受け画像作成装置の構成を示すブロック図
【図５】実施の形態２に係る縮小処理の様子、合成処理の様子および合成画像の表示状態を示す図
【図６】実施の形態２に係る拡大処理の様子、合成処理の様子および合成画像の表示状態を示す図
【図７】実施の形態２に係る切り出し処理の様子、合成処理の様子および合成画像の表示状態を示す図
【図８】実施の形態３に係る待ち受け画像作成装置の構成を示すブロック図
【図９】実施の形態４に係る待ち受け画像作成装置の構成を示すブロック図
【符号の説明】
【００７８】
１００、２００、３００、４００  画像作成装置
１０１  画像情報生成部
１０３  画像合成部
１０５  表示部
１０７、２０７、３０３、４０３  制御部
１０９、３０５、４０５  前景画像生成部
１１１、３０７、４０７  前景情報記憶部
２０１  圧縮画像記憶部
２０３  圧縮画像伸張部
２０５  伸張画像加工部
３０１、４０１  前景情報選択部
【図１】
2010204939.tif 000003
【図２】
2010204939.tif 000004
【図３】
2010204939.tif 000005
【図４】
2010204939.tif 000006
【図５】
2010204939.tif 000007
【図６】
2010204939.tif 000008
【図７】
2010204939.tif 000009
【図８】
2010204939.tif 000010
【図９】
2010204939.tif 000011